(57)【要約】【課題】従来よりも狭い刻みでステータコアの積層厚の違いに対応して保持パレットを汎用可能にすること。【解決手段】保持パレット１は、上パレット２及び下パレット３と、基端が下パレット３に固定され、先端部が上パレット２を上方へ貫通可能な複数のガイドポスト４と、ガイドポスト４の先端部外周に形成され、ガイドポスト４の軸線と交差する方向に延びるストッパ溝１２，１３と、ストッパ溝１２，１３に係合可能なストッパプレート１１とを備える。ガイドポスト４の先端部が上パレット２を貫通し、一方のストッパ溝１２にストッパプレート１１が係合して上パレット２が位置規制された状態で、両パレット２，３の間にステータコア９が保持される。２つのストッパ溝１２，１３は、ガイドポスト４の外周方向に９０°位相をずらして互いに上下に重複するように２段に形成される。【選択図】        図２
2010124525.tif 000002
【特許請求の範囲】
【請求項１】
上下に対向配置された上パレット及び下パレットと、
前記上パレットと前記下パレットとの間隔を保持するために設けられ、基端が前記下パレットに固定され、先端部が前記上パレットを上方へ貫通可能に設けられた複数のガイドポストと、
前記ガイドポストの先端部外周に形成され、前記ガイドポストの軸線と交差する方向に延びるストッパ溝と、
前記ストッパ溝に係合可能に設けられたストッパプレートと
を備え、前記ガイドポストの先端部が前記上パレットを貫通すると共に前記ストッパ溝に前記ストッパプレートが係合して前記上パレットが位置規制された状態で、前記上パレットと前記下パレットとの間にステータコアを保持するように構成したステータコア保持パレットにおいて、
前記ガイドポストの先端部外周に、複数のストッパ溝を前記ガイドポストの外周方向に位相をずらして上下多段に形成したことを特徴とするステータコア保持パレット。
【請求項２】
上下に隣接するストッパ溝又はそれらの延長を互いに一部が接するように形成したことを特徴とする請求項１に記載のステータコア保持パレット。
【請求項３】
前記上下に隣接するストッパ溝又はそれらの延長を互いに一部が重複するように形成したことを特徴とする請求項２に記載のステータコア保持パレット。
【発明の詳細な説明】
【技術分野】
【０００１】
この発明は、巻き束ねたコイルをステータコアのスロットに挿入して取り付ける際に、ステータコアを保持するために使用されるステータコア保持パレットに関する。
【背景技術】
【０００２】
従来より、モータ作製時には、巻線機で巻き束ねられたコイルを、ステータコアのスロットに挿入して取り付けることが行われている。このコイルの挿入時には、ステータコアを保持パレットにより保持するようになっている。
【０００３】
ここで、例えば、下記の特許文献１に記載のステータコア保持パレットが知られている。図９に、この保持パレットによるステータコア３１の保持状態の一部を断面図に示す。この保持パレットは、上下に対向配置された上パレット３２と下パレット３３を備える。上パレット３２に対応して上側のカフスサポータ３４が、下パレット３３に対応して下側のカフスサポータ３５がそれぞれ設けられる。上下のカフスサポータ３４，３５の先端側部分はステータコア３１のスロット（図示略）に対応して配置される。上下両パレット３２，３３は、上パレット３２の四隅に対応して設けられたガイドポスト３６を介して所定の間隔を保ちながら連結される。下パレット３３の保持孔３３ａには、ステータコア３１が下側から嵌め込まれる。上パレット３２は、ステータコア３１の積層厚Ｔ１に応じてセットされる。ステータコア３１の下面は、下パレット３３の下面に対して常に所定位置に配置される。各ガイドポスト３６は、その基端が下パレット３３に固定される。上パレット３２を貫通したガイドポスト３６の先端部外周には、ガイドブッシュ３７が装着される。このガイドブッシュ３７の上端とガイドポスト３６との間に、ストッパプレート３８が組み付けられ、このプレート３８により上パレット３２が位置規制される。
【０００４】
図１０に、ガイドポスト３６の先端部を斜視図に示す。図１１に、ガイドポスト３６とストッパプレート３８を正面図（一部断面図）に示す。図１２（Ａ）に、ストッパプレート３８のロック状態を、図１２（Ｂ）に、ストッパプレート３８のフリー状態をそれぞれ平面図に示す。ガイドポスト３６には、相対向する二面幅部をなす一対のストッパ溝３９が形成される。ストッパプレート３８は、ガイドポスト３６の外径とほぼ同じ内径を有する丸孔３８ａと、その丸孔３８ａに連続し、２つのストッパ溝３９の間隔とほぼ同じ幅を有する長孔３８ｂとを含む。そして、図１２（Ａ）に示すように、ガイドポスト３６のストッパ溝３９が長孔３８ｂに係合したロック状態では、上パレット３２が位置規制されて抜け止めされる。図１２（Ｂ）に示すように、ストッパプレート３８をスライドさせてガイドポスト３６が丸孔３８ａに整合したフリー状態では、上パレット３２の位置規制が解除される。
【０００５】
【特許文献１】特開２００５−１１０４１６号公報
【発明の開示】
【発明が解決しようとする課題】
【０００６】
ところで、上記したような保持パレットを、積層厚Ｔ１の異なるステータコアにも使用できれば、積層厚Ｔ１の違いに応じて保持パレットを別途設ける必要がなく、経済的である。このため、１つの保持パレットを積層厚Ｔ１の異なるステータコアの間で汎用化できることが望まれている。ここで、上記した保持パレットを積層厚Ｔ１の違いに応じて汎用化するためには、図１３に示すように、ガイドポスト３６に少なくとも２つのストッパ溝３９Ａ，３９Ｂを、平行かつ多段に設けることが考えられる。ここで、ガイドポスト３６に２つのストッパ溝３９Ａ，３９Ｂを平行かつ２段に設けるためには、上下に隣接するストッパ溝３９Ａ，３９Ｂの間に所定の間隔Ｓ２を設けることが必須となる。この結果、ストッパ溝３９Ａ，３９Ｂの幅Ｗ１と、２つのストッパ溝３９Ａ，３９Ｂの間隔Ｓ２との合計幅Ｗ２が、異なるステータコアの間の積層厚Ｔ１の最小差となってしまう。このため、この最小差以下の範囲で積層厚Ｔ１の異なるステータコアの間で、この保持パレットを汎用化することができない。
【０００７】
この発明は上記事情に鑑みてなされたものであって、その目的は、従来よりも狭い刻みでステータコアの積層厚の違いに対応して汎用すること可能としたステータコア保持パレットを提供することにある。
【課題を解決するための手段】
【０００８】
上記目的を達成するために、請求項１に記載の発明は、上下に対向配置された上パレット及び下パレットと、上パレットと下パレットとの間隔を保持するために設けられ、基端が下パレットに固定され、先端部が上パレットを上方へ貫通可能に設けられた複数のガイドポストと、ガイドポストの先端部外周に形成され、ガイドポストの軸線と交差する方向に延びるストッパ溝と、ストッパ溝に係合可能に設けられたストッパプレートとを備え、ガイドポストの先端部が上パレットを貫通すると共にストッパ溝にストッパプレートが係合して上パレットが位置規制された状態で、上パレットと下パレットとの間にステータコアを保持するように構成したステータコア保持パレットにおいて、ガイドポストの先端部外周に、複数のストッパ溝をガイドポストの外周方向に位相をずらして上下多段に形成したことを趣旨とする。
【０００９】
上記発明の構成によれば、ガイドポストの先端部外周に、複数のストッパ溝がガイドポストの外周方向に位相をずらして上下多段に形成されるので、上下に隣接する異なるストッパ溝の位置の差を、ストッパ溝の幅の大きさにかかわらず任意に設定可能となる。従って、上下に隣接するストッパ溝に係合したストッパプレートの位置の差、延いては、上パレットと下パレットとの間に保持されるステータコアの積層厚の最小差を任意に設定可能となる。
【００１０】
上記目的を達成するために、請求項２に記載の発明は、請求項１に記載の発明において、上下に隣接するストッパ溝又はそれらの延長を互いに一部が接するように形成したことを趣旨とする。
【００１１】
上記発明の構成によれば、請求項１に記載の発明の作用に加え、ストッパ溝の幅以下の間隔が、上下に隣接するストッパ溝に係合したストッパプレートの位置の差となり、この位置の差が上パレットと下パレットとの間に保持されるステータコアの積層厚の最小差となり得る。
【００１２】
上記目的を達成するために、請求項３に記載の発明は、請求項２に記載の発明において、上下に隣接するストッパ溝又はそれらの延長を互いに一部が重複するように形成したことを趣旨とする。
【００１３】
上記発明の構成によれば、請求項２に記載の発明の作用に加え、ストッパ溝の幅よりも小さい間隔が、上下に隣接するストッパ溝に係合したストッパプレートの位置の差となり、この位置の差が上パレットと下パレットとの間に保持されるステータコアの積層厚の最小差となり得る。
【発明の効果】
【００１４】
請求項１に記載の発明によれば、従来よりも狭い刻みでステータコアの積層厚の違いに対応してステータコア保持パレットを汎用することができる。
【００１５】
請求項２に記載の発明によれば、請求項１に記載の発明の効果に加え、ストッパ溝の幅以下の狭い刻みでステータコアの積層厚の違いに対応してステータコア保持パレットを汎用することができる。
【００１６】
請求項３に記載の発明によれば、請求項２に記載の発明の効果に加え、ストッパ溝の幅より狭い刻みでステータコアの積層厚の違いに対応してステータコア保持パレットを汎用することができる。
【発明を実施するための最良の形態】
【００１７】
以下、本発明のステータコア保持パレットを具体化した一実施形態につき図面を参照して詳細に説明する。
【００１８】
図１に、この実施形態のステータコア保持パレット（以下、単に「保持パレット」という。）１を平面図に示す。図２に、保持パレット１を、図１のＡ−Ａ線断面図に示す。図１に示すように、この保持パレット１は、上下に対向配置された上パレット２及び下パレット３と、上パレット２と下パレット３との間隔を保持するために設けられた合計４本のガイドポスト４とを備える。図２に示すように、上パレット２に対応して、上側のカフスサポータ５がホルダ６を介して設けられ、下パレット３に対応して、下側のカフスサポータ７がホルダ８を介して設けられる（図１には、上側のカフスサポータ５及びホルダ６の図示が省略されている。）。上下のカフスサポータ５，７の先端側部分は、ステータコア９のスロット９ａに対応して配置される。上下の両パレット２，３は、それぞれ略四角形状をなしている。両パレット２，３は、上パレット２の四隅に対応して設けられたガイドポスト４を介して所定の間隔を保ちながら連結される。下パレット３の保持孔３ａには、ステータコア９が下側から嵌め込まれる。上パレット２は、ステータコア９の積層厚Ｔ１に応じてセットされる。ステータコア９の下面は、下パレット３の下面に対して常に所定位置に配置される。各ガイドポスト４は、その基端が下パレット３に固定され、先端部が上パレット２を上方へ貫通可能に設けられる。上パレット２を貫通したガイドポスト４の先端部の外周には、ガイドブッシュ１０が装着される。このガイドブッシュ１０の上端とガイドポスト４との間には、ストッパプレート１１が組み付けられ、このストッパプレート１１により上パレット２が位置規制される。
【００１９】
ガイドポスト４の先端部外周には、同ポスト４の軸線と交差する方向に延びるストッパ溝１２，１３が形成される。ストッパプレート１１は、これらストッパ溝１２，１３に係合可能に設けられる。そして、この保持パレット１は、図２に示すように、ガイドポスト４の先端部が上パレット２を貫通すると共に、一方のストッパ溝１２にストッパプレート１１が係合して上パレット２が位置規制された状態で、上パレット２と下パレット３との間にステータコア９を保持するように構成される。
【００２０】
図３に、ガイドポスト４の先端部を斜視図に示す。図４に、ガイドポスト４とストッパプレート１１を正面図（一部断面図）に示す。図５に、ガイドポスト４とストッパプレート１１との関係を平面図に示す。ガイドポスト４の先端部外周には、２つのストッパ溝１２，１３がガイドポスト４の外周方向に９０°位相をずらして互いに上下２段に形成される。特に、この実施形態では、上下に隣接する２つのストッパ溝１２，１３が、互いに一部が重複するように形成される。各ストッパ溝１２，１３は、それぞれ相対向する二面幅部を構成するように一対形成される。図４，５に示すように、ストッパプレート１１は、ガイドポスト４の外径とほぼ同じ内径を有する丸孔１１ａと、その丸孔１１ａに連続し、２つのストッパ溝１２，１３の間隔とほぼ同じ幅を有する長孔１１ｂとを含む。そして、図４，５に実線で示すように、ガイドポスト４のストッパ溝１２が長孔１１ｂに係合したロック状態では、図２に示すように、上パレット２が位置規制されて抜け止めされる。
【００２１】
ここで、ストッパプレート１１を、図４，５に実線で示すように、上側のストッパ溝１２に係合した状態から、同図に２点鎖線で示すように、下側のストッパ溝１３に係合させるには、ストッパプレート１１を長孔１１ｂに沿って一旦スライドさせて、ガイドポスト４を丸孔１１ａに整合したフリー状態とする。その後、ストッパプレート１１を９０°回転させ、下側のストッパ溝１３に整合するように下方へ下げる。その後、ストッパプレート１１を長孔１１ｂに沿ってスライドさせることにより、ストッパプレート１１が下側のストッパ溝１３に係合したロック状態となる。これにより、下側のストッパ溝１３に係合したストッパプレート１１により上パレット２が位置規制されて抜け止めされる。この状態では、ストッパプレート１１が、図４に実線で示す上段位置から、同図に２点鎖線で示す下段位置に切り換え配置され、上段位置と下段位置の位置差Ｄ１が、上パレット２が規制される位置の差となり、延いては、上パレット２と下パレット３との間で保持されるステータコア９の積層圧Ｔ１の最小差となる。
【００２２】
以上説明したこの実施形態の保持パレット１によれば、各ガイドポスト４の先端部外周に、２つのストッパ溝１２，１３がガイドポスト４の外周方向に位相をずらして互いに上下に接するように２段に形成される。従って、上下に隣接するストッパ溝１２，１３の位置の差を、ストッパ溝１２，１３の幅の大きさにかかわらず任意に設定することが可能となる。よって、上下に隣接するストッパ溝１２，１３に係合したストッパプレート１１の位置の差、延いては、上パレット２と下パレット３との間に保持されるステータコア９の積層厚Ｔ１の最小差を任意に設定することが可能となる。この実施形態では、特に、２つのストッパ溝１２，１３は、互いに一部が重複するように形成される。従って、２つのストッパ溝１２，１３の幅より小さい間隔が、それぞれのストッパ溝１２，１３に係合したストッパプレート１１の位置差Ｄ１となり、この位置差Ｄ１が、上パレット２と下パレット３との間に保持されるステータコア９の積層厚Ｔ１の最小差となる。
【００２３】
ここで、従来の保持パレットでは、上下に隣接するストッパ溝３９Ａ，３９Ｂの間に所定の間隔Ｓ２を設けることが必須となり、各ストッパ溝３９Ａ，３９Ｂの幅Ｗ１と、上下のストッパ溝３９Ａ，３９Ｂの間隔Ｓ２との合計がステータコア３１の積層厚Ｔ１の最小差となっていた。これに対し、本実施形態では、上下に隣接するストッパ溝１２，１３の間に所定の間隔を設ける必要がなく、その分だけステータコア９の積層厚Ｔ１の最小差を従来例よりも小さくすることができる。この結果、従来よりも狭い刻みでステータコア９の積層厚Ｔ１の違いに対応して保持パレット１を種類の異なるステータコアに汎用することができる。つまり、上記した「最小差」だけ積層厚Ｔ１の異なる２種類のステータコアを、この保持パレット１を使用してそれぞれ保持することができるようになる。
【００２４】
上記した上下に隣接するストッパ溝１２，１３の位置の差は、ストッパ溝１２，１３の幅の大きさにかかわらず必要に応じて任意に設定することが可能である。従って、２つのストッパ溝１２，１３に係合したストッパプレート１１の位置の差、延いては、両パレット２，３の間で保持されるステータコア９の積層厚Ｔ１の最小差を必要に応じて任意に設定することが可能である。
【００２５】
なお、この発明は前記実施形態に限定されるものではなく、発明の趣旨を逸脱することのない範囲で構成の一部を適宜に変更して実施することもできる。
【００２６】
（１）前記実施形態では、図３に示すように、上下に隣接するストッパ溝１２，１３を互いに一部が重複するように形成したが、図６に示すように、上下に隣接するストッパ溝１２，１３につき、上側のストッパ溝１２の下辺と下側のストッパ溝１３の上辺とが互いに接するように形成することもできる。この場合は、ストッパ溝１２，１３の幅が、ステータコアの積層厚の最小差となる。
【００２７】
（２）前記実施形態では、図３に示すように、上下に隣接するストッパ溝１２，１３を互いに一部が重複するように形成したが、図７に示すように、上下のストッパ溝１２，１３を互いに離間させて形成することもできる。この場合、上下のストッパ溝１２，１３の間隔Ｓ１を任意に設定することができるが、例えば、従来例で必要であった間隔Ｓ２よりも狭くすることができる。
【００２８】
（３）前記実施形態では、図５に示すように、丸孔１１ａと長孔１１ｂを有するストッパプレート１１をガイドポスト４のストッパ溝１２，１３に係合させるようにした。これに対し、図８に示すように、丸孔を省略して長孔１４ａの一端を開放したストッパプレート１４をガイドポスト４のストッパ溝１２，１３に係合させるようにしてもよい。
【００２９】
（４）前記実施形態では、２つのストッパ溝１２，１３をガイドポスト４の外周方向に９０°位相をずらして形成したが、位相のずれは９０°に限られるものではなく、９０°未満の角度でもよい。
【００３０】
（５）前記実施形態では、ガイドポスト４の外周に上下２段にストッパ溝１２，１３を設けたが、上下３段以上の多段にストッパ溝を設けることもできる。
【００３１】
（６）前記実施形態では、図３に示すように、上下に隣接するストッパ溝１２，１３を互いに一部が重複するように形成した。これに対し、ガイドポストの外径に対してストッパ溝が浅い場合は、上下に隣接するストッパ溝の延長を、互いに一部が接するように又は互いに一部が重複するように形成してもよい。
【図面の簡単な説明】
【００３２】
【図１】一実施形態に係り、保持パレットを示す平面図。
【図２】一実施形態に係り、保持パレットを示す図１のＡ−Ａ線断面図。
【図３】一実施形態に係り、ガイドポストの先端部を示す斜視図。
【図４】一実施形態に係り、ガイドポストとストッパプレートを示す正面図。
【図５】一実施形態に係り、ガイドポストとストッパプレートとの関係を示す平面図。
【図６】別の実施形態に係り、ガイドポストの先端部を示す斜視図。
【図７】別の実施形態に係り、ガイドポストの先端部を示す斜視図。
【図８】別の実施形態に係り、ガイドポストとストッパプレートを示す平面図。
【図９】従来例に係り、保持パレットの一部を示す断面図。
【図１０】従来例に係り、ガイドポストの先端部を示す斜視図。
【図１１】従来例に係り、ガイドポストとストッパプレートを示す正面図。
【図１２】従来例に係り、（Ａ）は、ガイドポストのストッパ溝に対するストッパプレートのロック状態を示す平面図、（Ｂ）は、ガイドポストのストッパ溝に対するストッパプレートのフリー状態を示す平面図。
【図１３】従来例に係り、ガイドポストを示す正面図。
【符号の説明】
【００３３】
１  保持パレット
２  上パレット
３  下パレット
４  ガイドポスト
９  ステータコア
１１  ストッパプレート
１２  ストッパ溝
１３  ストッパ溝
１４  ストッパプレート
【図１】
2010124525.tif 000003
【図２】
2010124525.tif 000004
【図３】
2010124525.tif 000005
【図４】
2010124525.tif 000006
【図５】
2010124525.tif 000007
【図６】
2010124525.tif 000008
【図７】
2010124525.tif 000009
【図８】
2010124525.tif 000010
【図９】
2010124525.tif 000011
【図１０】
2010124525.tif 000012
【図１１】
2010124525.tif 000013
【図１２】
2010124525.tif 000014
【図１３】
2010124525.tif 000015